(57)【要約】      （修正有）【課題】常に身につけるツールにイベント情報が連動していることにより、参加者は情報の存在する場所（会場の掲示板や案内窓口など）を探す手間やその場所に出向く時間を軽減できる。また、特定の場所に参加者が集まることによる窓口の混雑も緩和でき、スムーズなイベント運営管理に効果を発揮する。【解決手段】イベントの参加者が付与される個々の識別番号とイベント関連情報を組み合わせたＱＲコード等の二次元コードを属性情報としてゼッケン等に付することにより、その属性情報に基づいて、参加者が携帯電話を用いて容易にイベント管理者からの情報を得られ、逆に必要な要望を申し込むことができる体制整備を可能にする。イベント進行中に身に着ける識別番号表としてのゼッケンカードにＱＲコード等の二次元コードを表記することによって、時間や場所に制限されず、目的や当事者の要求に応じて必要情報を提供しあえる体制を可能にする。【選択図】図１
0003132931.tif 000002
【実用新案登録請求の範囲】
【請求項１】
イベントにおいて、参加者が身に着ける個々に異なる識別番号や記号、個人情報、イベント管理者情報、スポンサー関連情報、ホームページ情報などの属性情報を、ＱＲコード等の二次元コードとして記載したゼッケン（ナンバーカードや背番号、同類の役割をもつシール）。
【請求項２】
イベント参加者が身につける個々に異なる識別番号や記号、個人情報を記載したゼッケン（ナンバーカードや背番号、同類の役割をもつシール）を会場で受け取る際に照合して引換券となるべき書類で、ＱＲコード等の二次元コードを表記した案内書類（ナンバー通知ハガキや封書物、同類のカード）。
【考案の詳細な説明】
【技術分野】
【０００１】  本発明は、イベントを運営するにあたって参加者ごとに異なる対応を可能にするために参加者が個々に異なる識別番号や記号を記載したゼッケン（ナンバーカードや同類の役割をもつシール）や背番号、および、それらを会場で照合して引換券となる案内書類（ナンバー通知ハガキや封書物、同類のカード）に関するものである。
【背景技術】
【０００２】  参加者からイベント管理者にイベントの進行状況や速報の要望、または必要な連絡事項を伝えたい場合、イベント管理者が対応している窓口に直接出向くか、電話などで申し込む形態がとられている。【０００３】  イベントにおける参加者への連絡事項は、会場で配布される冊子やチラシなどの印刷物によって行われている。また、直近の情報を伝えるためには会場の掲示板や案内放送などが利用されている。
【背景技術】
【０００４】  イベントでは従来からゼッケンに切り取り式のバーコードを付随させたり、バーコードを記載して参加者の情報を管理運営する方法が行われているが、その場合は人数カウントや通過時間の統計、通過の記録を残す目的に回収を伴うものであったり、イベントの管理者が読み取るために特定のゲートを通過、または一時的に集合することが必要である。【０００５】  イベントにおいて参加者は各々広範囲に展開しているので、時間と場所が限定されている従来の方法では、行動が制限される問題があった。また、大量の人数を会場で読み取るためには、一般には使うことのない処理速度の速い高価な読み取り機が必要である。【０００６】  これら従来の方式は、根本的にイベント管理者の求めによって利用されて機能するだけで、参加者が自発的に利用する機会はない。また、根本的に参加者に情報を伝えるための機能ではない。
【考案の開示】
【考案が解決しようとする課題】
【０００７】  イベント参加者に満足を与えるためには、参加者たち要望を集約し、効率よくその管理を行わなくてはならない。しかしイベントは参加者が多数なため、その参加者から求められる要望や情報が有っても、限られた時間と場所の問題から効率よく受け入れて整理することが難しい。【０００８】  個々に異なる参加者から、現地または必要な時期に個別に情報を得る際、口頭で受け付けたり書面での受付になる場合、聞き間違いや記述の間違い、また個人にかかる基礎情報（名前や連絡先など）を他者と取り違えることがあり、確認作業に時間がかかり煩雑なものとなってしまう。情報取得の段階で個人が特定できる方法が望まれている。【０００９】  イベントの開催告知は、参加申し込みを募るために開催日からかなり前の時期に行われる。開催告知後においてもさまざまな必要連絡事項が生じるが、当日に配る印刷物も制作に時間がかかるため、開催日時直前の情報を伝える、または取得することが困難。【００１０】  さらに、開催当日のイベント進行中にスピーカーや大画面での表示される刻々変化する情報や経過速報などは、全体に関する内容でイベント管理者からの一方通行の形とならざるを得ず、参加者は自分自身にのみ関係する情報を効率的かつ的確に得る手段が必要とされている。
【課題を解決するための手段】
【００１１】  その手段として、参加者が身につけるものによってその役割を持たせることができるツールが、もっとも間違いが少なく、効率的である。そこで本発明は下記に記す手法によって、上記の課題を克服して参加者が円滑にイベント管理者にアプローチすることを可能にし、逆にイベント管理者が関連情報を発信する時期を柔軟に設定できるようにする。【００１２】  参加者が身につけるゼッケン（ナンバーカード）、背番号、または同類の識別番号や記号で個々を識別する表記を施したカード類に、参加者の識別番号とイベント関連情報に連動するホームページアドレスをＱＲコード等の二次元コードの属性情報として表記し、その属性情報に基づいて参加者が簡便な装置を使っていつでもイベント情報のホームページサイトにアクセスできる体制を整える。【００１３】  イベントの参加者が、個々に異なる識別番号・記号を認知する最初の機会は、イベント会場で照合して引換券となるべき案内書類（ナンバー通知ハガキや封書物、同類のカード）が手元に届いた時点となるので、案内書類にも参加者の識別番号とイベント関連情報に連動するホームページアドレスをＱＲコード等の二次元コードの属性情報として表記することによって、上記のゼッケンと同様の機能を付することができる。【００１４】  イベント管理者は予め情報の発信と受信のプラットフォームとなるインターネットサイトを準備し、参加者はゼッケン等に付随したＱＲコードの属性情報に基づいて携帯電話端末からそのサイトにアプローチし、イベント進行中においても最新情報を入手することができる。【００１５】  また同様に、そのサイトを利用して個々の識別番号を媒介にして、イベント管理者に対して目的に応じた対応を求めることができる。
【考案の効果】
【００１６】  常に身につけるツールにイベント情報が連動していることにより、参加者は情報の存在する場所（会場の掲示板や案内窓口など）を探す手間やその場所に出向く時間を軽減できる。また、特定の場所に参加者が集まることによる窓口の混雑も緩和でき、スムーズなイベント運営管理に効果を発揮する。【００１７】  この機能によって参加者から出される要望は電子メールなどのデータ形式となるため、手書きによるものと違いそのままデータとして転写、反映することができる。さらに、受け手側の聞き間違いや記入のミスを最小限に抑えられるメリットがある。【００１８】  印刷に時間がかかる都合で事前に準備された冊子では提供することができなかったイベント情報も、参加者が持っている携帯電話という簡便な器具により、開催直前または進行中や終了後まで内容の更新が可能なホームページサイトに参加者を誘導することができ、情報提供の融通がきく。
【考案を実施するための最良の形態】
【００１９】  イベントに参加することを申し込んだ参加者に対し、個々に異なる識別番号や記号を付してデータの一覧を作成する。イベントもある特定の記号を取り決めておき、参加者の個別番号や記号にイベントの記号を加味したＱＲコード等の二次元コードを作成し、参加者が身につけるゼッケンに印刷する。【００２０】  イベント管理者はあらかじめＱＲコードによって連動してくるべきホームページサイトを開設しておき、参加者に伝えるべき情報を掲示しておく。同時に参加者から送られてくる要望などの情報もそのサイトからデータ集約できるようにプログラムしておく。【００２１】  参加者から送られてくる情報には個々に割り振られた識別番号や記号を伴わせ、イベント管理者が管理している参加者データの一覧と照合して自動的にデータ集約する。
【実施例】
【００２２】  実用例として図を用いて説明する。図１はゼッケンのイメージの例である。図２はイベント参加者（５）がゼッケン（６）を身につけた状態を表す。参加者はこのようにして、イベント参加中に自他ともにイベントにおける関連性を識別することができる。このゼッケンはイベント管理者によって集計された参加者データに基づいて番号や必要情報が印刷されて、参加者に配布される。ゼッケンは携帯電話などの機械読み取りのできるＱＲコード（２）と、参加者個々に異なる識別番号（３）、イベント名称（４）などの関連する情報が印刷されている。図３は参加者が持つ携帯電話端末の例で、ＱＲコードを読み取ってその属性情報によってイベント管理者が提供する情報を掲示しているホームページ（図４）にアクセスすることができる。【００２３】  ＱＲコード（図１の２）は上記のイベントに関連するサービスの情報や参加者の識別番号などに対応した情報を属性情報としてコード化して印字したものである。ＱＲコードに用いる属性情報としては、性別や年齢、参加する内容のカテゴリー、イベント情報が公開されているホームページアドレスなどが挙げられる。【００２４】  図２ではゼッケンを体の前部に取り付けているが、他にも背中、ズボンの脇などイベントに参加する上で身につけて支障が生じない位置であるところであれば特に定めることはない。図１の（２）〜（４）などが印刷される位置は、イベント運営に支障が生じない範囲で特に定めることはない。【００２５】  事前に通知ハガキなどでイベント管理者から識別番号を通知された参加者（図２の５）は、それに基づいて会場でイベント管理者のデータと照合してゼッケン（図１）を受け取り、（図２の６）のように身に着ける。イベント進行中に参加者に提供するサービスや時間的動向、その他時系列情報など有益な情報がある場合、イベント管理者はホームページ（図４の１０）（図５の１２）のように公開し、参加者は携帯電話で（図３の８）のようにＱＲコードを読み込んでホームページにアクセスすることで時間と場所を気にせず情報を閲覧する。【００２６】  参加者がイベントに参加して目的を達成したことを示す記録証明書などの発行や、イベント完了後に集約された結果データなどの公開をイベント管理者に求める場合も、ＱＲコードの属性情報からイベントのホームページにアクセスして閲覧したり、ホームページを通じて管理者に要望を出すことも可能である。
【図面の簡単な説明】
【００２７】
【図１】  本発明の実施の一形態を表すゼッケンの例
【図２】  参加者が図１のゼッケン、背番号、または同類の識別番号や記号で個々を識別する表記を施したカード類を身につけた例
【図３】  ＱＲコード等の属性情報を読み取るための携帯電話でＱＲコードを読み込む例
【図４】  イベント管理者が情報を公開するために開設したホームページとそれを管理操作する例としてのパソコン
【図５】  イベント管理者が情報を公開するために開設したホームページとそれを管理操作する例としての携帯電話
【符号の説明】
【００２８】１  ゼッケン
２  ＱＲコード
３  参加者個々の識別番号
４  イベント名称
５  参加者
６  身につけた状態のゼッケン
７  携帯電話
８  携帯電話でＱＲコードを読み込んだ様子
９  パソコン
１０  パソコンでホームページを表示した様子
１１  携帯電話
１２  携帯電話でホームページを表示した様子
【図１】
0003132931.tif 000003
【図２】
0003132931.tif 000004
【図３】
0003132931.tif 000005
【図４】
0003132931.tif 000006
【図５】
0003132931.tif 000007
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
イベントの参加者が身に付けるゼッケンにおいて、参加者を識別する識別番号とイベント情報ホームページＵＲＬの２つの情報を合わせた属性情報をＱＲコード化して識別番号に隣接して印刷したゼッケン。